(57)【要約】本発明は、機密要素を有する機密および／または有価文書に関する。この場合、機密要素が、少なくとも２つの異なる機密特徴を有しており、この機密特徴は、「ホログラム、レーザ彫刻、印刷モチーフ、蛍光モチーフ、発光モチーフ、回折モチーフおよび光学的変化インク（ＯＶＩ）モチーフ」から成る群より選ばれる。この機密および／または有価文書は、各機密特徴はそれぞれ１つのグラフィック構造を有しており、異なる機密特徴のグラフィック構造は、グラフィック的に互いに隣接するかこの機密および／または有価文書の異なる層もしくは同一の層に設けられるか隣接し、あるいは、この機密および／または有価文書の異なる層に設けられるか重ねられ、異なる機密特徴のグラフィック構造は、グラフィック全体表現を形成することを特徴とする。  【選択図】なし
2010520826.tif 000002
【特許請求の範囲】
【請求項１】
機密要素を有する機密および／または有価文書（１）であって、
前記機密要素（１２）は、少なくとも２つの異なる機密特徴を有しており、該機密特徴は、「ホログラム、レーザ彫刻、印刷モチーフ、蛍光モチーフ、発光モチーフ、回折モチーフおよび光学的変化インク（ＯＶＩ）モチーフ」から成る群より選ばれる、機密および／または有価文書において、
各機密特徴はそれぞれ１つのグラフィック構造（７、８、１０、１１）を有しており、
異なる機密特徴の前記グラフィック構造（７、８、１０、１１）は、グラフィック的に互いに隣接するか当該機密および／または有価文書（１）の異なる層もしくは同一の層に設けられるか隣接し、あるいは、当該機密および／または有価文書（１）の異なる層に設けられるか重ねられ、
異なる機密特徴の前記グラフィック構造（７、８、１０、１１）は、グラフィック全体表現を形成することを特徴とする、機密および／または有価文書。
【請求項２】
請求項１に記載の機密および／または有価文書（１）において、
異なる機密特徴の前記グラフィック構造（７、８）は、線（７、８）であり、異なる機密特徴の線の端部は、互いに接続しているか、または、好適には互いに対して平行に延在して重なっていることを特徴とする、機密および／または有価文書。
【請求項３】
請求項１に記載の機密および／または有価文書（１）において、
第１の機密特徴の前記グラフィック構造（１０）は、平面構造（１０）を有しており、第２の機密特徴の前記グラフィック構造（１１）は、線もしくは記号もしくは記号列（１１）またはグラフィック表現を有しており、前記第１の機密特徴および前記第２の機密特徴の前記グラフィック構造（１０、１１）は、互いに重なり合うことを特徴とする、機密および／または有価文書。
【請求項４】
請求項１ないし３のいずれか１項に記載の機密および／または有価文書（１）において、
当該機密および／または有価文書（１）は、複数の機密特徴層（４、５）を有しており、異なる機密特徴が異なる機密特徴層（４、５）内に設けられていることを特徴とする、機密および／または有価文書。
【請求項５】
請求項４に記載の機密および／または有価文書（１）において、
前記異なる機密特徴が、直接隣接する異なる機密特徴層（４、５）内に、または、少なくとも１つの中間層（９）によって分離されている異なる機密特徴層（４、５）内に設けられていることを特徴とする、機密および／または有価文書。
【請求項６】
請求項１ないし５のいずれか１項に記載の機密および／または有価文書（１）において、
前記第１の機密特徴は、レーザ彫刻または印刷モチーフであり、前記第２の機密特徴は、「ホログラム、印刷モチーフ、蛍光モチーフ、発光モチーフ、回折モチーフおよび光学的変化インク（ＯＶＩ）モチーフ」から成る群より選ばれることを特徴とする、機密および／または有価文書。
【請求項７】
請求項１ないし６のいずれか１項に記載の機密および／または有価文書（１）において、
当該機密および／または有価文書（１）は、以下の層構造：
基体（２）、
前記基体（２）の主面の上に選択的に設けられる第１の中間層（３）、
前記基体（２）の主面または最上の中間層（３）の上に設けられる、第１の機密特徴を有する第１の機密特徴層（４）、
第１の機密特徴を有する前記機密特徴層（４）の上に選択的に設けられる第２の中間層（９）、
前記第１の機密特徴層（４）または第２の中間層（９）の上に設けられる、第２の機密特徴を有する第２の機密特徴層（５）、および
選択的なカバー層（６）
を有することを特徴とする、機密および／または有価文書。
【請求項８】
請求項７に記載の機密および／または有価文書（１）において、
前記第１の中間層（３）および／または前記第２の中間層（９）および／または前記カバー層（６）は、複数の部分層から成ることを特徴とする、機密および／または有価文書。
【請求項９】
請求項７または８に記載の機密および／または有価文書（１）において、
第１の機密特徴はレーザ彫刻または印刷モチーフであり、第２の機密特徴はホログラムであることを特徴とする、機密および／または有価文書。
【請求項１０】
請求項１ないし９のいずれか１項に記載の機密および／または有価文書（１）において、
前記ホログラムは、「体積ホログラム、エンボスホログラム、透明キネグラムオーバーレイ、キネグラムおよびゼロ次格子」から成る群より選択されることを特徴とする、機密および／または有価文書。
【請求項１１】
請求項１ないし１０のいずれか１項に記載の機密および／または有価文書（１）において、
前記印刷モチーフは、線パターン、特に組紐装飾、英数字またはその一部であることを特徴とする、機密および／または有価文書。
【請求項１２】
請求項１ないし１１のいずれか１項に記載の機密および／または有価文書（１）において、
当該機密および／または有価文書（１）は、「ＩＤカード、パスポート、入出許可証、査証、コントロールシンボル、チケット、運転免許証、自動車証明書、銀行券、小切手、郵便切手、クレジットカード、チップカードおよび粘着ラベル」から成る群より選択されることを特徴とする、機密および／または有価文書。
【請求項１３】
請求項１ないし１２のいずれか１項に記載の機密および／または有価文書（１）を製造するための方法であって、以下のステップ：
ａ）  基体（２）が選択的に中間層（３）で被覆されること、
ｂ）  前記基体（２）または第１の中間層（３）に、第１の機密特徴層（４）が施されること、
ｃ）  前記第１の中間層（３）または第１の機密特徴層（４）に、選択的に第２の中間層（９）が施されること、
ｄ）  前記第１の機密特徴層（４）または前記第２の中間層（９）に、第２の機密特徴層（５）が施されること、
ｅ）  前記第２の機密特徴層（５）に、選択的にカバー層（６）が施されること、
を有しており、
ステップａ）ないしｅ）は、同時にまたは互いに前後して行うことができ、
第１の機密特徴が既にステップｂ）において第１の機密特徴層（４）内に存在しているか、または、ステップｄ）またはｅ）に続いて、第１の機密特徴層（４）内に組み込まれるか、
かつ／または、
第２の機密特徴が既にステップｄ）において第２の機密特徴層（５）内に存在しているか、または、ステップｄ）またはｅ）に続いて、第２の機密特徴層（５）内に組み込まれることを特徴とする、方法。
【請求項１４】
請求項１３に記載の方法において、
前記第１の機密特徴が既にステップｂ）において前記第１の機密特徴層（４）内に存在しており、第２の機密特徴が既にステップｄ）において前記第２の機密特徴層（５）内に存在しており、前記第２の機密特徴層（５）は、ステップｄ）において、前記第１の機密特徴層（４）に対して見当合わせされて施されることを特徴とする、方法。
【請求項１５】
請求項１４に記載の方法において、
ステップｄ）の前に、前記機密および／または有価文書（１）の第１の機密特徴の位置および方向決めが、光学検出手段（１３）によって決定され、前記光学検出手段（１３）は、前記第２の機密特徴層（５）の位置決めのための制御装置（１４）に接続されており、前記制御装置（１４）は、前記第２の機密特徴層（５）の位置決めが見当合わせされた状態で行われるように、ステップｄ）において制御されることを特徴とする、方法。
【請求項１６】
請求項１３に記載の方法において、
前記第１の機密特徴は、ステップｂ）では前記第１の機密特徴層（４）に施されておらず、前記第２の機密特徴は、ステップｄ）において前記第２の機密特徴層（５）に施されており、ステップｄ）またはｅ）に続いて、前記第１の機密特徴が前記第１の機密特徴層（４）に見当合わせされた状態で組み込まれることを特徴とする、方法。
【請求項１７】
請求項１６に記載の方法において、
ステップｄ）に続いて、まず、前記機密および／または有価文書（１）上の前記第２の機密特徴の位置および方向を前記光学検出手段（１３）によって決定し、前記光学検出手段（１３）は、前記第１の機密特徴を組み込むための手段（１５’）を制御するための制御装置（１４）に接続されており、その後、制御装置（１４）は、前記第１の機密特徴の前記第１の機密特徴層（４）への組み込みが見当合わせされた状態で行われるように制御されることを特徴とする、方法。
【請求項１８】
請求項１３に記載の方法において、
前記第２の機密特徴が、ステップｄ）では前記第２の機密特徴層（５）に施されておらず、前記第１の機密特徴は、ステップｂ）において前記第１の機密特徴層（４）に施されており、ステップｄ）またはｅ）に続いて、前記第２の機密特徴が、前記第２の機密特徴層（５）に見当合わせされた状態で組み込まれることを特徴とする、方法。
【請求項１９】
請求項１８に記載の方法において、
ステップｄ）に続いて、まず、前記機密および／または有価文書（１）上の前記第１の機密特徴の位置および方向が光学検出手段（１３）によって決定され、前記光学検出手段（１３）は、前記第２の機密特徴を組み込むための手段を制御するための制御装置（１４）に接続されており、前記制御装置（１４）は、その後、前記第２の機密特徴が前記第２の機密特徴層（５）内に見当合わせした状態で組み込まれるように制御されることを特徴とする、方法。
【請求項２０】
請求項１ないし１２のいずれか１項に記載の機密および／または有価文書（１）を認証するための方法であって、
まず、前記第１の機密特徴および前記第２の機密特徴の両方の存在が検証され、この検証により存在が確認された場合、前記第１の機密特徴と前記第２の機密とが互いに見当合わせされて位置決めされているか否かが検証され、見当合わせされて位置決めされていることが確認された場合、前記機密および／または有価文書（１）が有効であると分類されることを特徴とする、方法。
【発明の詳細な説明】
【技術分野】
【０００１】
［発明の分野］
本発明は、１．機密および／または有価文書に関する。この機密および／または有価文書は、機密要素を有しており、この機密要素は、「ホログラム、レーザ彫刻、印刷モチーフ、蛍光モチーフ、発光モチーフ、回折モチーフおよび光学的変化インク（ＯＶＩ）モチーフ」より成る群から選ばれる少なくとも２つの異なる機密特徴を有する。本発明は、この種の機密および／または有価文書を製造するための方法、およびこの種の機密および／または有価文書を認証するための方法に関する。
【背景技術】
【０００２】
[背景技術および先行技術]
機密要素は、機密および／または有価文書を偽造または複製から保護するために用いられる。典型的に、機密および／または有価文書は、複数の異なる機密要素を有しており、すべての機密要素が存在している場合にのみ有効であると認証される。
【０００３】
以前から知られている種類の機密特徴は、印刷技法的に製造された組紐模様である。この組紐模様とは、非常に繊細な線パターンであり、これは、印刷技法上高額のコストをかけないと製造できないものである。
【０００４】
他の種類の機密特徴は、レーザ彫刻によって製造される。このために、機密および／または有価文書は、レーザの波長光を吸収する機密特徴層を有する。ここで、レーザ光線を吸収する際に、熱に変換されたエネルギーが、視認することができる材料の破壊および／または変色を引き起こす。ここで、レーザ光線は、たとえば、鏡像構造によって、機密特徴層の端から端まで走らせることができ、それによって、線、パターン、そして面が形成される。レーザ彫刻は、この場合、さらなる層によって覆われている機密特徴層内で行ってもよいが、このさらなる層がレーザ光線を吸収しないかまたはあまり吸収しない場合のみ可能である。
【０００５】
さらなる種類の機密特徴は、ホログラムである。体積ホログラムの製造については、たとえば特許文献１に記載されている。エンボスホログラムは、ホログラフィック構造をたとえば写真技術プロセスによってマトリックス上に結像し、続いてこのマトリックスに対して化学プロセスを行ってホログラフィック構造をトポグラフィーとして形成し、そして、マトリックスをたとえばプラスチック層内で用いて圧力および／または温度作用によってホログラフィックトポグラフィーをプラスチック層上に転写すること、によって製造される。
【０００６】
さらなる種類の機密特徴は、蛍光モチーフである。この場合、グラフィック構造が、発光（傾向または燐光）可能な材料によって製造される。光、たとえばＵＶ光による励起で、材料が発光し、（照射されないと視認できない場合には）モチーフが見えるようになるか、または、（照射しなくてもインキなどによって視認できている場合には）発光するのが分かるようになる。
【０００７】
実践上、たとえば５０ユーロ札などの場合、機密要素は公知である。ここで、異なる層が、複数の機密特徴を有している。これらの機密特徴は、見当合わせされて上下に位置決めされており、これらの機密特徴のグラフィック構造は、互いにつながっている。ここで、透過光を当てると、表面の左上には貨幣の「５０」が分かる。一方で、入射光では、両面において「５０」の互いに補完する部分のみが視認できる。ここでは、２つの機密特徴は、同様の技術によって、すなわち印刷技術によって製造されている。
【０００８】
たとえば特許文献２からは、冒頭に記載された形式の機密および／または有価文書が公知となっている。ここで、機密特徴の範囲において、さまざまな技術、たとえばホログラムとレーザ彫刻などを互いに組み合わせている。たとえば、レーザ彫刻によって、別個の記号列がホログラム内に書き込まれる。ここで、２つの機密特徴は、通常、同一の層内にあり、通常の場合は互いに独立したグラフィック構造を描き出している。
【０００９】
これまで公知となっている機密および／または有価文書は、増加する技術的コストを伴わないと複製することができない。
【先行技術文献】
【特許文献】
【００１０】
【特許文献１】欧州特許公開公報０８９６２６０号明細書
【特許文献２】独国特許第３９３２５０５号明細書
【発明の概要】
【発明が解決しようとする課題】
【００１１】
［発明の技術的課題］
本発明の技術的課題は、過度に高価なコストを必要としないかまたはほとんど必要としない機密および／または有価文書を提示することである。
【００１２】
［定義］
異なる機密特徴という概念は、異なる技術によって製造された機密特徴のことである。たとえば、非蛍光インキ用のすべての印刷技術は、この場合は一つの技術とみなされる。蛍光インキ用のすべての技術もまた、（非蛍光インキ用のすべての印刷技術とは異なる）一つの技術である。同様のことが、すえてのホログラフィー技術にあてはまる。異なる機密特徴とは、たとえば以下の組み合わせである：ホログラム／印刷モチーフ、ホログラム／蛍光モチーフ、ホログラム／レーザ彫刻、印刷モチーフ／レーザ彫刻、印刷モチーフ／蛍光モチーフ、または、レーザ彫刻／蛍光モチーフ。定義に従うと、同様のことが、３つの異なる機密特徴にもあてはまり、この場合は、たとえば以下の組み合わせのことである：ホログラム／印刷モチーフ／レーザ彫刻、ホログラム／印刷モチーフ／蛍光モチーフ、または、印刷モチーフ／レーザ彫刻／蛍光モチーフ。４つの異なる機密特徴の場合には、たとえば、ホログラム／印刷モチーフ／レーザ彫刻／蛍光モチーフの組み合わせである。
【００１３】
機密要素は、複数の機密特徴から形成される。
【００１４】
グラフィック構造としては、たとえば、線、記号または面パターンまたはそれらの一部を意味する。線の場合、０．００１ｍｍから１ｍｍの範囲の線幅の線であり、好適には０．０１ｍｍから０．０２ｍｍの範囲の線である。記号は、たとえば英数字、たとえば数字またはアルファベットであり得る。面パターンは、全体としてみると基本的に統一された面状の構成物で、画定された形状、たとえば円、長方形、正方形、楕円形、円弧セグメント、環状、環状セグメント等を有するものである。
【００１５】
グラフィック構造は、この場合、異なる機密要素がそれぞれ互いに組み合わさって一つの全体表現を形成するようなグラフィック構造である場合には、グラフィック全体表現を形成する。したがって、異なる機密要素は相補的であり得る。たとえば、第１の機密要素は、第１の部分線を形成し、第２の機密要素は第２の部分線を形成し、その際に、２つの部分線が互いに相補的な関係になっているので、全体として一本の線を形成する。このことは、たとえば、線パターン、たとえば組紐装飾パターンの場合に設定することができる。その場合には、第１の機密要素は、線パターンの第１の部分を形成し、第２の機密要素は、線パターンの第２の部分を形成する。他の例は、異なる機密要素のための相補的な部分記号であり、これらは、組み合わさって一つの記号、たとえばアルファベットまたは数字を形成する。これらの場合には、グラフィック構造が互いにつながる。その際、当然、少なくとも部分的な重複があり得るし、人間の目で見てただちには分からない隙間がグラフィック構造間に存在する場合もあり得る。最終的に、グラフィック全体表現は、線パターンまたは記号の面状の下敷きとなる。この場合、異なる機密特徴が互いに重複する。
【００１６】
グラフィック全体表現は、所定のグラフィック表現である。これは、異なる機密特徴のグラフィック構造から全体として生じるものである。グラフィック全体表現は、機密要素を形成する。
【００１７】
グラフィック全体表現の主要な特徴は、１つまたは複数のグラフィック構造が欠けると、それが人間による視認であっても、機械による読み取りであっても、不完全な表現となり、その際、欠けたグラフィック構造またはその欠損が直接目立つかまたは検出可能である、という点である。特に、グラフィック全体表現の場合には、情報、たとえば記号列、画像等であり、１つのグラフィック構造が欠けると、情報がはっきりと不完全であると分かり、完全に再構成することが簡単にはできない。
【００１８】
機密要素は、少なくとも１つの機密特徴を有する構造ユニットである。機密要素は、自立した構造ユニットであり得る。このユニットは、機密および／または有価文書と、たとえば糊付けによって結びつけることができる。あるいは、このユニットを、機密および／または有価文書と一体状の構成要素としてもよい。前者の場合の例は、たとえばホログラフィックなラベルである。後者の場合の例は、機密および／または有価文書の層構造の範囲内に一体化された、機密特徴を有する層である。
【００１９】
機密および／または有価文書は、典型的には、面状の基体から構成されている。この基体の片面または両面に少なくとも１つの層、たとえば印刷層が形成されている。基体用の材料としては、紙および／またはプラスチック技術分野で公知の材料が使用可能である。基体は、必ずしも１つの層のみから成るわけではなく、複数の層、たとえばフィルム（レーザ照射可能、レーザ照射不可能、不透明、チップインレイ等）から成っていてもよい。透明または光透過性であってもよいし、透明または光透過性の窓を有していてもよい。複数の層から成る基体の場合、本発明で行うようなやり方で基体の上に施す層と組み合わせるように、異なる基体の層を、一度に、たとえば一回の積層ステップで、互いに結びつけることができる。
【００２０】
グラフィック構造またはグラフィック全体表現は、それらが同じタイプの異なる機密および／または有価文書ごとに異なる場合には、個別化される。その場合、同じタイプの機密および／または有価文書について、下位グループを形成してもよい。その場合、これらの機密および／または有価文書は、グラフィック構造またはグラフィック全体表現は同じであるが下位グループにおいてのみ異なるようになる。このようなグラフィック構造またはグラフィック全体表現の例は、機密および／または有価文書の所有者の名前、機密および／または有価文書のシリアル番号、機密および／または有価文書の所有者の住所の表現等である。
【００２１】
グラフィック構造またはグラフィック全体表現は、それらが同じタイプの機密および／または有価文書について同じである場合は、個別化されないかまたは静的なものである。その場合の例は、ワッペン、印章、国章、組紐模様、通貨表示、国籍表示等である。
【００２２】
グラフィック構造またはグラフィック全体表現は、機械のみによって認識可能もしくは機械読み取り可能もしくは機械認識可能であるか、または機械読み取り可能かつ視認可能であるかのいずれかであり得る。前者の場合の例は、バーコードである。後者の場合の例は、英数字列である。
【００２３】
異なる層内に設けられている異なる機密特徴のグラフィック構造が所定の全体表現を生成する場合、機密および／または有価文書の２つの層は、見当合わせされて互いに重ねて設けられている。
【課題を解決するための手段】
【００２４】
［発明の基本特徴と公的な実施形態］
上記技術的課題を解決するために、本発明は、各機密特徴はそれぞれ１つのグラフィック構造を有しており、異なる機密特徴のグラフィック構造は、グラフィック的に互いに隣接するか機密および／または有価文書の異なる層もしくは同一の層に設けられるか隣接し、あるいは、機密および／または有価文書の異なる層に設けられるか重ねられ、異なる機密特徴のグラフィック構造は、グラフィック全体表現を形成することを教示している。
【００２５】
この場合、構成のさまざまな可能性がある。たとえば、異なる機密特徴のグラフィック構造は、線であってもよく、異なる機密特徴の線の端部は、互いに接続しているか、または、好適には互いに対して平行に延在して重なっている。この場合の例は、線パターンの線、たとえば組紐装飾、英数字の線である。第１の機密特徴のグラフィック構造は、平面構造を有していてもよく、第２の機密特徴のグラフィック構造は、線を有しており、第１の機密特徴および第２の機密特徴のグラフィック構造は、互いに重なり合う。この場合の例は、平面状に下敷きされた、たとえば組紐模様または英数字の線パターンである。
【００２６】
機密および／または有価文書は、複数の機密特徴層を有していてもよく、異なる機密特徴が異なる機密特徴層内に設けられている。この場合、異なる機密特徴が、直接隣接する異なる機密特徴層内に、または、少なくとも１つの中間層によって分離されている異なる機密特徴層内に設けられていてもよい。
【００２７】
本発明に係る好適な一実施形態は、第１の機密特徴は、レーザ彫刻または印刷モチーフであり、第２の機密特徴は、ホログラムであることを特徴とする。
【００２８】
また、好適には、機密および／または有価文書は、以下の層構造：基体、この基体の主面の上に選択的に設けられる第１の中間層、この基体の主面または最上の中間層の上に設けられる、第１の機密特徴を有する第１の機密特徴層、第１の機密特徴を有する機密特徴層の上に選択的に設けられる第２の中間層、第１の機密特徴層または第２の中間層の上に設けられる、第２の機密特徴を有する第２の機密特徴層、および、選択的なカバー層を有する。この場合、第１の機密特徴層の上側に設けられているさらなる層は、いずれの場合であっても、第１の機密特徴のグラフィック構造を端から端まで覆う領域において透明であるということが分かる。
【００２９】
本発明において、機密要素またはグラフィック全体表現は、入射光および／または透過光で認識可能である。前者の場合には、不透明の基体で処理することができる。機密要素が（同様に）透過光で認識可能であるようにする場合には、基体は、機密要素の下側では透明であるか半透明であり、または、機密要素の下側では透明または半透明の窓を有する。基体が透明または半透明であるかまたはそのような窓を有する場合には、上述した層構造とは異なって、選択的な第２の中間層、第２の機密特徴層および場合によっては第２のカバー層を、第１の機密特徴層に対向する基体の主面上に設けるという層構造にしてもよい。
【００３０】
本発明の範囲内において、第１の中間層および／または第２の中間層および／またはカバー層は、複数の部分層から成っていてもよい。
【００３１】
本発明に係る好適な一変形形態は、第１の機密特徴はレーザ彫刻または印刷モチーフであり、第２の機密特徴はホログラムであることを特徴とする。この場合、ホログラムは、「体積ホログラム、エンボスホログラム、透明キネグラムオーバーレイ、キネグラムおよびゼロ次格子」から成る群より選択され得る。印刷モチーフは、線パターン、特に組紐装飾、英数字またはその一部であり得る。
【００３２】
機密および／または有価文書としては、ＩＤカード、パスポート、入出許可証、査証、コントロールシンボル、チケット、運転免許証、自動車証明書、銀行券、小切手、郵便切手、クレジットカード、チップカードおよび粘着ラベルが例として挙げられる。
【００３３】
本発明は、本発明に係る機密および／または有価文書を製造するための方法に関する。この方法は、以下のステップ：ａ）基体が選択的に中間層で被覆されること、ｂ）基体または第１の中間層に、第１の機密特徴層が施されること、ｃ）第１の中間層または第１の機密特徴層に、選択的に第２の中間層が施されること、ｄ）第１の機密特徴層または第２の中間層に、第２の機密特徴層が施されること、ｅ）第２の機密特徴層に、選択的にカバー層が施されること、を有しており、ステップａ）ないしｅ）は、同時にまたは互いに前後して行うことができ、第１の機密特徴が既にステップｂ）において第１の機密特徴層内に存在しているか、または、ステップｄ）またはｅ）に続いて、第１の機密特徴層内に組み込まれるか、かつ／または、第２の機密特徴が既にステップｄ）において第２の機密特徴層内に存在しているか、または、ステップｄ）またはｅ）に続いて、第２の機密特徴層内に組み込まれる。この場合、ステップｄ）またはｅ）の後に機密特徴を組み込む際に、たとえばレーザ彫刻を用いる。その場合、レーザ彫刻を有する層が重ねられた層はレーザ光線に対して透過性を有しているということが分かる。
【００３４】
本発明に係る方法において、層を施す異なるステップとその組み合わせを同時に、たとえば基体への積層中に行い得ることが重要であるということを言及しておく。当然、次ぐ次に施して層を接続することも可能である。
【００３５】
本発明に係る方法の実施にあたっては個々の点において異なる可能性がある。
【００３６】
第１の機密特徴が既にステップｂ）において第１の機密特徴層内に存在しており、第２の機密特徴が既にステップｄ）において第２の機密特徴層内に存在していてもよい。そして、第２の機密特徴層は、ステップｄ）において、第１の機密特徴層に対して見当合わせされて施される。また、このことは、ステップｄ）の前に、機密および／または有価文書の第１の機密特徴の位置および方向決めが、光学検出手段によって決定され、この光学検出手段は、第２の機密特徴層の位置決めのための制御装置に接続されており、この制御装置は、第２の機密特徴層の位置決めが見当合わせされた状態で行われるように、ステップｄ）において制御されること、によって行われてもよい。光学検出手段は、たとえば、ＣＣＤカメラであり得る。制御装置は、ＣＣＤカメラの信号に基づいて、ＣＣＤカメラに対する第１の機密特徴またはそのグラフィック構造の位置および方向を検出し、制御装置、たとえばロボットアームを、座標信号によって制御する。
【００３７】
しかしまた、第１の機密特徴は、ステップｂ）では前記第１の機密特徴層に施されておらず、第２の機密特徴は、ステップｄ）において第２の機密特徴層に施されていてもよい。この場合、ステップｄ）またはｅ）に続いて、第１の機密特徴が前記第１の機密特徴層に見当合わせされた状態で、たとえばレーザ彫刻によって組み込まれる。このことは、ステップｄ）に続いて、まず、機密および／または有価文書上の第２の機密特徴の位置および方向を光学検出手段によって決定し、光学検出手段は、第１の機密特徴を組み込むための手段を制御するための制御装置に接続されており、その後、制御装置は、第１の機密特徴の第１の機密特徴層への組み込みが見当合わせされた状態で行われるように制御されること、によって行われてもよい。第１の機密特徴を組み込むためにレーザ彫刻を行う場合、制御装置は、たとえば二次元上を旋回可能なミラーシステムを有する。このミラーシステムによって、レーザ光線が、第１の機密特徴層内部で随意位置決め可能となる。一方、第２の機密特徴が、ステップｄ）では第２の機密特徴層に施されておらず、第１の機密特徴は、ステップｂ）において第１の機密特徴層に施されていてもよい。その場合、ステップｄ）またはｅ）に続いて、第２の機密特徴が、第２の機密特徴層（５）に見当合わせされた状態で組み込まれる。その後、上述したのと同様のことが行われる。
【００３８】
本発明は、機密および／または有価文書を認証するための方法に関する。この方法において、
まず、第１の機密特徴および前記第２の機密特徴の両方の存在が検証され、この検証により存在が確認された場合、第１の機密特徴と第２の機密とが互いに見当合わせされて位置決めされているか否かが検証され、見当合わせされて位置決めされていることが確認された場合、機密および／または有価文書が有効であると分類される。検証は、最も簡単な場合には、人間の目による視認によって行われる。したがって、たとえば、２つの機密特徴層が見当合わせされていないことによる偽造の場合、線パターンの線には、段、隙間または折れが見られる。当然、この検証は、機械的手段、たとえばカメラによって行うこともできる。この場合、プロセッサによって、測定されたパターンを記憶されている所定のパターンと比較する。前述した２つの検証の結果がネガティブである場合、機密および／または有価文書は非有効であるとして棄却される。
【００３９】
本発明の範囲において、第１の機密特徴および第２の機密特徴は、個別化されるかまたは静的であってもよい。同様に、第１の機密特徴が個別化され、第２の機密特徴が静的なものであってもよいし、その逆もあり得る。
【００４０】
以下、本発明を、実施例のみを示す図に基づいて詳細に説明する。
【図面の簡単な説明】
【００４１】
【図１】第１の変形形態に係る本発明の機密および／または有価文書の層構造を示す断面図である。
【図２】第２の変形形態に係る本発明の機密および／または有価文書の層構造を示す断面図である。
【図３】本発明に係る機密および／または有価文書の上面図である。
【図４】図３に係る主題の第２の機密特徴層のみを示す上面図である。
【図５】図３に係る主題の第１の機密特徴層のみを示す上面図である。
【図６】グラフィック構造を正確に見当合わせして施すかまたは組み込むための装置の概略図である。
【発明を実施するための形態】
【００４２】
図１には、基体２を有する機密および／または有価文書が示されている。この基体２の上には、第１の中間層３、第１の機密特徴層４、第２の機密特徴層５およびカバー層６が施されている。第１の機密特徴層４は、機密特徴として第１のグラフィック構造７を有する。この第１のグラフィック構造は、レーザ彫刻によって生成されたものである。第３の機密特徴層５は、機密特徴として、第２のグラフィック構造８を有する。この第２のグラフィック構造は、たとえばホログラムとして構成されている。この場合、製造は以下のようにして行うことができる。すなわち、図示されている一連の層をはじめに作成した後で、第１のグラフィック構造７をレーザによって第１の機密特徴層に組み込む。この目的のために、まず、第２のグラフィック構造８を、たとえば光源およびカメラを用いて、特定の照明のもとで検出する。このようにして検出された第２のグラフィック構造８の位置は、レーザを制御するために使用し、それによって、第１のグラフィック構造７が、第２のグラフィック構造８に対して見当合わせされた状態で、第１の機密特徴層に組み込まれる。
【００４３】
図２には一変形形態が示されている。同図において、レーザ彫刻（または印刷モチーフ）を有する第１の機密特徴層４が直接基体２の上に設けられている。これに、選択的に第２の中間層９が続く。その上に、ホログラムを有する第２の機密特徴層５が設けられている。製造は、以下のように行うことができる。第１のグラフィック構造７を、（印刷モチーフとして）第１の機密特徴層４を施すのと同時に、または、（レーザ彫刻として）その直後に施す。その後、選択的に、大のグラフィック構造７の位置および方向を光学的に検出してもよい。そして、ホログラムを有する第２の機密特徴層５を、たとえば糊付けによって見当合わせして施す。
【００４４】
図３ないし図５を比較してみると、第１の機密特徴層４と第２の機密特徴層５とが見当合わせされて積層していることが分かる。特に、第１のグラフィック構造７の線と第２のグラフィック構造８の線とが正確につながっていることが分かる。図には、第３のグラフィック構造１０および第４のグラフィック構造１１も示されている。ここで、第３のグラフィック構造は、円形に配置された文字列であり、第４のグラフィック構造は、円弧面であり、この円弧面の円形幅は、この文字列の長手方向においてセンタリングされた、少なくともこの文字列の高さの分に相当する。グラフィック構造７、８、または１０、１１は、それぞれ機密要素１２を有して構成されている。
【００４５】
どちらの場合でも、線が中断していたり折れていたり、または文字列が環状面の中心にきていないために第１の機密特徴層４と第２の機密特徴層５とが見当合わせされた状態で重ならない場合、それを人間の目でただちに識別することができる。したがって、偽造を簡単に識別し却下することができる。一方、真正な機密および／または有価文書はすぐに判断されて有効であると認証することができる。
【００４６】
中間層３、５および／またはカバー層６については、当該技術分野で通常用いられる材料すべてを使用することができる。この場合、典型的には、透明なポリマー材料が用いられる。機密特徴層４、５は、グラフィック構造７、８、１０、１１以外の領域では通常透明であり、いずれにせよ、下にある機密特徴層４または基体２のグラフィック構造が配置されている領域においては透明である。
【００４７】
図６には、グラフィック構造７、８、１０、１１を見当合わせして施すかまたは組み込むための装置が示されている。図には、光学検出手段１３が示されている。この光学検出手段によって、基体２は、その上に施されている第１および／または第２の機密特徴層４、５ともども撮影される。ここで、機密特徴層４、５のうち一方には第１のグラフィック構造７が組み込まれている。しかし、第２のグラフィック構造８を有する第２の機密特徴層がまだ（たとえば糊付けによって）施されていないか、または、施された第２の機密特徴層５には第２のグラフィック構造が（たとえばレーザ彫刻によって）まだ組み込まれていない。光学検出手段１３によって、第１のグラフィック構造７が撮影されて、生成された電気信号が、第２の機密特徴層５を位置決めするためのまたは第２のグラフィック構造８を第２の機密特徴層５に組み込むための制御装置１４に供給される。この制御装置１４には、第２の機密特徴層５を施すためのまたは第２のグラフィック構造８を第２の機密特徴層５に組み込むための手段１５が接続されており、電気信号の程度にしたがって制御され、それにより、第１のグラフィック構造７と第２のグラフィック構造８とが基体の上で見当合わせされて設けられる。
【図１】
2010520826.tif 000003
【図２】
2010520826.tif 000004
【図３】
2010520826.tif 000005
【図４】
2010520826.tif 000006
【図５】
2010520826.tif 000007
【図６】
2010520826.tif 000008
【国際調査報告】
2010520826.tif 000009
2010520826.tif 000010
2010520826.tif 000011
2010520826.tif 000012
2010520826.tif 000013
2010520826.tif 000014